(57)【特許請求の範囲】
【請求項１】
光源と、
上記光源より発せられた光束のうちの赤色成分光が入射され、供給される映像信号に基づく映像の赤色成分を表示する赤色用映像表示板と、
上記光源より発せられた光束のうちの緑色成分光が入射され、供給される映像信号に基づく映像の緑色成分を表示する緑色用映像表示板と、
上記光源より発せられた光束のうちの青色成分光が入射され、供給される映像信号に基づく映像の青色成分を表示する青色用映像表示板と、
上記各色用映像表示板を支持するとともに、上記各色用映像表示板と空気層を介して配置され、上記各色用映像表示板の両面をそれぞれ密閉状態とし、光の入射する前面側をアルミ膜付きガラス板とした２枚のガラス板を保持する支持枠と、
上記ガラス板に外気を送り込むことにより冷却する冷却ファンと、
上記赤色用映像表示板を透過した赤色光と、上記緑色用映像表示板を透過した緑色光と、上記青色用映像表示板を透過した青色光とを合成して射出するクロスダイクロイックプリズムと、
上記クロスダイクロイックプリズムより射出された光束を投射する投射レンズと
を備えたことを特徴とするプロジェクタ装置。
【請求項２】
光源と、
上記光源より発せられた光束のうちの赤色成分光が入射され、供給される映像信号に基づく映像の赤色成分を表示する赤色用映像表示板と、
上記光源より発せられた光束のうちの緑色成分光が入射され、供給される映像信号に基づく映像の緑色成分を表示する緑色用映像表示板と、
上記光源より発せられた光束のうちの青色成分光が入射され、供給される映像信号に基づく映像の青色成分を表示する青色用映像表示板と、
上記各色用映像表示板を支持するとともに、上記各色用映像表示板と空気層を介して配置され、上記各色用映像表示板の両面をそれぞれ密閉状態とし、光の入射する前面側を石英ガラス板とした２枚のガラス板を保持する支持枠と、
上記ガラス板に外気を送り込むことにより冷却する冷却ファンと、
上記赤色用映像表示板を透過した赤色光と、上記緑色用映像表示板を透過した緑色光と、上記青色用映像表示板を透過した青色光とを合成して射出するクロスダイクロイックプリズムと、
上記クロスダイクロイックプリズムより射出された光束を投射する投射レンズと
を備えたことを特徴とするプロジェクタ装置。
【請求項３】
光源と、
上記光源より発せられた光束のうちの赤色成分光が入射され、供給される映像信号に基づく映像の赤色成分を表示する赤色用映像表示板と、
上記光源より発せられた光束のうちの緑色成分光が入射され、供給される映像信号に基づく映像の緑色成分を表示する緑色用映像表示板と、
上記光源より発せられた光束のうちの青色成分光が入射され、供給される映像信号に基づく映像の青色成分を表示する青色用映像表示板と、
上記各色用映像表示板を支持するとともに、上記各色用映像表示板と空気層を介して配置され上記各色用映像表示板の両面を密閉状態とするガラス板を保持する支持枠と、
上記ガラス板と離間して配置され、上記光源からの光の所定の波長帯域成分を上記ガラス板に入射させるフィルタと、
上記フィルタと上記ガラス板とに外気を送り込むことにより冷却する冷却ファンと、
上記赤色用映像表示板を透過した赤色光と、上記緑色用映像表示板を透過した緑色光と、上記青色用映像表示板を透過した青色光とを合成して射出するクロスダイクロイックプリズムと、
上記クロスダイクロイックプリズムより射出された光束を投射する投射レンズと
を備えたことを特徴とするプロジェクタ装置。
【発明の詳細な説明】
【０００１】
【発明の属する技術分野】
本発明は、いわゆる液晶表示板の如き映像表示板により表示される映像を投射レンズによりスクリーン上に投射するプロジェクタ装置に関する。
【０００２】
【従来の技術】
従来、液晶表示板（ＬＣＤ）の如き映像表示板により映像を表示し、この映像を投射レンズによりスクリーンに対して拡大して投射するように構成されたプロジェクタ装置が提案されている。
【０００３】
このプロジェクタ装置においては、上記スクリーン上に充分な明度の映像を投射するため、上記映像表示板をハロゲンランプの如き光源により照明する必要がある。
【０００４】
すなわち、上記スクリーン上には、上記投射レンズにより、上記映像表示板により表示され上記光源により照明された映像の実像が結像される。
【０００５】
【発明が解決しようとする課題】
ところで、上述のようなプロジェクタ装置においては、上記映像表示板は、上記光源によって照明されることにより、この光源が発する熱により加熱されて温度上昇を生ずる。上記映像表示板は、所定の温度以上に加熱されると、正常に映像を表示できなくなったり、破壊したりする虞れがある。
【０００６】
上記光源の輝度を下げれば、上記映像表示板の温度上昇を抑えられるのであるが、上記スクリーン上において充分な明度の映像を投射するためには、充分に高輝度なランプを使用せざるを得ず、該光源の輝度を下げることによって該映像表示板の温度上昇を抑えることは困難である。
【０００７】
そのため、上記プロジェクタ装置においては、冷却ファンにより、上記映像表示板を冷却することが行われている。この冷却ファンは、上記光源、上記映像表示板及び上記投射レンズを収容する外筐体の外壁部に設けられた開口部に対応して、該外筐体に取付けられている。
【０００８】
上記冷却ファンは、上記外筐体の外方側に空気を該外筐体内に取り入れ、この空気を上記映像表示板に吹き付けることにより、該映像表示板を冷却する。
【０００９】
しかしながら、外気を吹き付けることにより上記映像表示板を冷却することとすると、該映像表示板には、該外気に含まれる塵挨が付着する虞れがある。上記外筐体の開口部に塵挨を取り除くためのエアフィルタを取り付けても、該塵挨を長期間に亘って完全に取り除くことは困難である。
【００１０】
上記映像表示板に塵挨が付着すると、この塵挨の影が上記スクリーン上に投射されることとなり、該スクリーン上における良好な映像表示が行えなくなる。
【００１１】
そこで、本発明は、上述の実情に鑑みて提案されるものであって、光源により照明されるとともに供給される映像信号に基づく映像を表示する映像表示板の冷却が良好に行えながら、この映像表示板への塵挨の付着が防止され、良好な映像表示が行えるようになされたプロジェクタ装置を提供しようとするものである。
【００１３】
【課題を解決するための手段】
本発明に係るプロジェクタ装置は、光源と、この光源より発せられた光束のうちの赤色成分光が入射され供給される映像信号に基づく映像の赤色成分を表示する赤色用映像表示板と、光源より発せられた光束のうちの緑色成分光が入射され供給される映像信号に基づく映像の緑色成分を表示する緑色用映像表示板と、光源より発せられた光束のうちの青色成分光が入射され供給される映像信号に基づく映像の青色成分を表示する青色用映像表示板と、上記各色用映像表示板を支持するとともに、上記各色用映像表示板と空気層を介して配置され、上記各色用映像表示板の両面をそれぞれ密閉状態とし、光の入射する前面側をアルミ膜付きガラス板とした２枚のガラス板を保持する支持枠と、上記ガラス板に外気を送り込むことにより冷却する冷却ファンと、赤色用映像表示板を透過した赤色光と緑色用映像表示板を透過した緑色光と青色用映像表示板を透過した青色光とを合成して射出するクロスダイクロイックプリズムと、このクロスダイクロイックプリズムより射出された光束を投射する投射レンズとを備える。
【００１５】
また、本発明に係るプロジェクタ装置は、光源と、この光源より発せられた光束のうちの赤色成分光が入射され供給される映像信号に基づく映像の赤色成分を表示する赤色用映像表示板と、光源より発せられた光束のうちの緑色成分光が入射され供給される映像信号に基づく映像の緑色成分を表示する緑色用映像表示板と、光源より発せられた光束のうちの青色成分光が入射され供給される映像信号に基づく映像の青色成分を表示する青色用映像表示板と、各色用映像表示板を支持するとともに、各色用映像表示板と空気層を介して配置され、各色用映像表示板の両面をそれぞれ密閉状態とし、光の入射する前面側を石英ガラス板とした２枚のガラス板を保持する支持枠と、上記ガラス板に外気を送り込むことにより冷却する冷却ファンと、赤色用映像表示板を透過した赤色光と緑色用映像表示板を透過した緑色光と青色用映像表示板を透過した青色光とを合成して射出するクロスダイクロイックプリズムと、このクロスダイクロイックプリズムより射出された光束を投射する投射レンズとを備える。
【００１７】
そして、本発明に係るプロジェクタ装置は、光源と、この光源より発せられた光束のうちの赤色成分光が入射され供給される映像信号に基づく映像の赤色成分を表示する赤色用映像表示板と、光源より発せられた光束のうちの緑色成分光が入射され供給される映像信号に基づく映像の緑色成分を表示する緑色用映像表示板と、光源より発せられた光束のうちの青色成分光が入射され供給される映像信号に基づく映像の青色成分を表示する青色用映像表示板と、各色用映像表示板を支持するとともに各色用映像表示板と空気層を介して配置され各色用映像表示板の両面を密閉状態とするガラス板を保持する支持枠と、ガラス板と離間して配置され光源からの光の所定の波長帯域成分を上記ガラス板に入射させるフィルタと、これらフィルタとガラス板とに外気を送り込むことにより冷却する冷却ファンと、赤色用映像表示板を透過した赤色光と緑色用映像表示板を透過した緑色光と青色用映像表示板を透過した青色光とを合成して射出するクロスダイクロイックプリズムと、このクロスダイクロイックプリズムより射出された光束を投射する投射レンズとを備える。
【００１８】
【発明の実施の形態】
以下、本発明の実施の形態を図面を参照しながら説明する。
【００１９】
本発明に係るプロジェクタ装置は、図１に示すように、外筐体１４を有し、この外筐体１４内に映像表示板となる赤色用液晶表示板（ＬＣＤ）１３ｒ、緑色用液晶表示板１３ｇ及び青色用液晶表示板１３ｂを内蔵して構成されている。
【００２０】
上記各色用液晶表示板１３ｒ，１３ｇ，１３ｂは、外方側の映像信号供給機器（例えば、テレビジョンチューナ装置や、ビデオテーププレーヤ装置、ビデオディスクプレーヤ装置等）より制御回路を介して映像信号を供給され、この映像信号に基づく映像を表示する。
【００２１】
上記各色用液晶表示板１３ｒ，１３ｇ，１３ｂは、透過型の映像表示板であり、透過率の変化（濃淡）により、映像を表示する。上記赤色用液晶表示板１３ｒは、上記映像信号に対応する映像の赤色成分を表示する。また、緑色用液晶表示板１３ｇは、上記映像信号に対応する映像の緑色成分を表示する。そして、青色用液晶表示板１３ｂは、上記映像信号に対応する映像の青色成分を表示する。
【００２２】
そして、上記外筐体１４内には、上記各色用液晶表示板１３ｒ，１３ｇ，１３ｂを照明するための光源１が内蔵されている。この光源１は、例えばハロゲンランプの如き、高輝度の白色ランプである。
【００２３】
上記光源１より発した光束は、ＵＶフィルタ（紫外線遮断フィルタ）２、マルチレンズアレイ３ａ，３ｂ及びコンデンサレンズ４を順次透過し、この光束に対して４５°の角度となされて設置された第１のダイクロイックミラー５ａに入射する。この第１のダイクロイックミラー５ａは、上記光束のうちの赤色成分光Ｒを反射して９０°偏向させ、残る緑色及び青色成分光ＧＢを透過させる。
【００２４】
上記第１のダイクロイックミラー５ａにより反射された赤色成分光Ｒは、第１のミラー６ａにより反射されて９０°偏向され、コンデンサーレンズ９ｒ及び赤色用ダイクロイックフィルタ１２ｒを経て、上記赤色用液晶表示板１３ｒに入射される。上記赤色用ダイクロイックフィルタ１２ｒは、赤色光のみを透過させるフィルタである。なお、この赤色用ダイクロイックフィルタ１２ｒには、偏光フィルタが貼り合わされている。
【００２５】
上記赤色用液晶表示板１３ｒに入射された赤色光は、この赤色用液晶表示板１３ｒを透過し、クロスダイクロイックプリズム７に一側面部より入射する。
【００２６】
上記第１のダイクロイックミラー５ａを透過した緑色及び青色成分光ＧＢは、この光束に対して４５°の角度となされて設置された第２のダイクロイックミラー５ｂに入射する。この第２のダイクロイックミラー５ｂは、上記緑色及び青色成分光ＧＢのうちの緑色成分光Ｇを反射して９０°偏向させ、残る青色成分光Ｂを透過させる。
【００２７】
上記第２のダイクロイックミラー５ｂにより反射された緑色成分光Ｇは、コンデンサーレンズ９ｇ及び緑色用ダイクロイックフィルタ１２ｇを経て、上記緑色用液晶表示板１３ｇに入射される。上記緑色用ダイクロイックフィルタ１２ｇは、緑色光のみを透過させるフィルタである。なお、この緑色用ダイクロイックフィルタ１２ｇには、偏光フィルタが貼り合わされている。
【００２８】
上記緑色用液晶表示板１３ｇに入射された緑色光は、この緑色用液晶表示板１３ｇを透過し、上記クロスダイクロイックプリズム７に後面部より入射する。
【００２９】
上記第２のダイクロイックミラー５ｂを透過した青色成分光Ｂは、第１の集光レンズ１０を経て、第２のミラー６ｂにより反射されて９０°偏向され、第２の集光レンズ１１を経て、第３のミラー６ｃにより反射されて９０°偏向され、コンデンサーレンズ９ｂ及び青色用ダイクロイックフィルタ１２ｂを経て、上記青色用液晶表示板１３ｂに入射される。なお、上記第１及び第２の集光レンズ１０，１１は、上記青色成分光が上記赤色及び緑色成分光に比して対応する液晶表示板１３ｂに到達するまでの光路長が長く拡散し易いため、この青色成分光を集束させるためのものである。
【００３０】
上記青色用ダイクロイックフィルタ１２ｂは、青色光のみを透過させるフィルタである。なお、この青色用ダイクロイックフィルタ１２ｂには、偏光フィルタが貼り合わされている。
【００３１】
上記青色用液晶表示板１３ｂに入射した青色光は、この青色用液晶表示板１３ｂを透過し、上記クロスダイクロイックプリズム７に他側面部より入射する。
【００３２】
上記クロスダイクロイックプリズム７は、一側面部より入射された赤色光、後面部より入射された緑色光及び他側面部より入射された青色光を合成して、前面部より射出させる。
【００３３】
上記クロスダイクロイックプリズム７より射出された光束は、投射レンズ８に入射される。この投射レンズ８は、入射された光束を上記外筐体１４の前方の外方側に向けて投射する。すなわち、この投射レンズ８は、上記各色用液晶表示板１３ｒ，１３ｇ，１３ｂにより表示され上記光源１により照明された映像の像を、前方側に向けて投射する。この投射レンズ８は、上記各色用液晶表示板１３ｒ，１３ｇ，１３ｂにより表示された映像の実像を、このプロジェクタ装置の前方側に設置されたスクリーン上に結像させる。
【００３４】
そして、このプロジェクタ装置においては、上記各色用液晶表示板１３ｒ，１３ｇ，１３ｂは、図２乃至図５に示すように、支持枠２２により支持されている。この支持枠２２は、金属材料により上記各色用液晶表示板１３ｒ，１３ｇ，１３ｂの外周側部分の後面部（これら各色用液晶表示板１３ｒ，１３ｇ，１３ｂに入射された光束が透過して射出される側）を支持するように矩形の枠状に形成された枠部と、この枠部の前面部（これら各色用液晶表示板１３ｒ，１３ｇ，１３ｂに光束が入射される側）に配設され該各色用液晶表示板１３ｒ，１３ｇ，１３ｂの外周側部分の前面部を支持するように矩形の枠状に形成された見切り板２３とにより構成されている。
【００３５】
そして、上記見切り板２３の前方側には、上記各色用ダイクロイックフィルタ１２ｒ，１２ｇ，１２ｂを支持するフィルタ支持枠２７が配設されている。このフィルタ支持枠２７は、上記各色用ダイクロイックフィルタ１２ｒ，１２ｇ，１２ｂの外周側部分を支持する矩形の枠状部分と、この矩形の枠状部分の上端縁より後方側に向けて延設された支持脚部とから構成されている。
【００３６】
上記フィルタ枠２７と、上記見切り板２３及び上記枠部とからなる上記支持枠２２は、上記外筐体１４内に保持される支持板１５に対して、一対の止めネジ１８，１８により、いわゆる共締めにより固定される。すなわち、上記各止めネジ１８，１８は、上記フィルタ枠２７の支持脚部に形成された一対のネジ挿通孔３３，３４に挿通され、上記見切り板２３の上方側部分に形成された一対のネジ挿通孔３１，３２に挿通され、さらに、上記枠部の上方側部分に形成された一対のネジ挿通孔に挿通されて、上記支持板１５に形成された一対のネジ孔に対応して螺入される。なお、上記支持枠２２の下縁側部分は、上記支持板１５に対して、この支持板１５に取付けられた板バネにより、押圧支持されている。
【００３７】
上記支持板１５には、上記各色用液晶表示板１３ｒ，１３ｇ，１３ｂに対応した矩形の透孔が形成されている。
【００３８】
そして、上記フィルタ枠２７は、上記各色用ダイクロイックフィルタ１２ｒ，１２ｇ，１２ｂを、上記各色用液晶表示板１３ｒ，１３ｇ，１３ｂの前方側（これら各色用液晶表示板１３ｒ，１３ｇ，１３ｂに光束が入射される側）に、これら各色用液晶表示板１３ｒ，１３ｇ，１３ｂに対して５ｍｍ乃至１０ｍｍ程度の所定の距離を隔たせて、保持する。このフィルタ枠２７の下縁側部分は、上記支持板１５の前面部に立設された一対のスタッドピン２５，２５により支持されている。すなわち、上記フィルタ枠２７の下縁側部分には、上記各スタッドピン２５，２５の先端側に形成された溝部に係合する一対の係合孔２９，３０が設けられている。
【００３９】
上記フィルタ枠２７は、上記各色用ダイクロイックフィルタ１２ｒ，１２ｇ，１２ｂの上記各色用液晶表示板１３ｒ，１３ｇ，１３ｂに対する光軸回りの回転角度の調整が行えるようになされている。すなわち、このフィルタ枠２７に設けられた上記一対のネジ挿通孔３３，３４及び上記一対の係合孔２９，３０は、それぞれ、上記各色用ダイクロイックフィルタ１２ｒ，１２ｇ，１２ｂの中心部を曲率中心とする円弧形状に形成されている。
【００４０】
そして、上記各色用液晶表示板１３ｒ，１３ｇ，１３ｂは、上記支持枠２２に周囲部を支持された前側ガラス２４及び後側ガラス１７により密閉状態となされて保持されている。上記前側ガラス２４は、上記光源１より上記各色用液晶表示板１３ｒ，１３ｇ，１３ｂに至る光束が透過するガラスであり、周囲部を、接着剤２６により、上記見切り板２３の前面部に接合されている。この前側ガラス２４は、上記各色用液晶表示板１３ｒ，１３ｇ，１３ｂに対して、所定の間隔を隔てて設けられている。上記後側ガラス１７は、上記各色用液晶表示板１３ｒ，１３ｇ，１３ｂを透過してこれら各色用液晶表示板１３ｒ，１３ｇ，１３ｂより射出された光束が透過するガラスであり、周囲部を、接着剤１６により、上記支持枠２２の枠部の後面部に接合されている。
【００４１】
そして、このプロジェクタ装置においては、上記外筐体１４の底面部には、外気取り入れ孔が形成されている。この外気取り入れ孔には、この外気取り入れ孔を通過する空気中の塵挨を取り除くエアフィルタが取付けられている。そして、上記外筐体１４には、上記外気取り入れ孔に対応して、冷却ファン１９が取付けられている。この冷却ファン１９は、モータにより回転操作されることにより、上記外筐体１４の外方側の空気を上記外気取り入れ孔を介して該外筐体１４内に取り入れるとともに、この空気を上記各色用液晶表示板１３ｒ，１３ｇ，１３ｂの近傍に送り込む。
【００４２】
上記各色用ダイクロイックフィルタ１２ｒ，１２ｇ，１２ｂ、上記前後側ガラス２４，１７、及び、上記各色用液晶表示板１３ｒ，１３ｇ，１３ｂは、上記光源１により照明されることによって加熱されるが、上記冷却ファン１９により送り込まれる外気によって、冷却される。なお、上記上記冷却ファン１９により上記外筐体１４内に送り込まれる外気は、該外筐体１４内に設けられた導風板により、上記各色用液晶表示板１３ｒ，１３ｇ，１３ｂに対して適切な比率で配分されるようになされている。
【００４３】
なお、上記各色用ダイクロイックフィルタ１２ｒ，１２ｇ，１２ｂ及び上記前側ガラス２４は、上記各色用液晶表示板１３ｒ，１３ｇ，１３ｂに対して上記光源１側にあるため、最も加熱され易い。ここで、上記各色用ダイクロイックフィルタ１２ｒ，１２ｇ，１２ｂ及び上記前側ガラス２４は、上記各色用液晶表示板１３ｒ，１３ｇ，１３ｂより空気層を介して離間されているため、加熱されても、この熱を該各色用液晶表示板１３ｒ，１３ｇ，１３ｂに伝導させることがない。
【００４４】
そして、上記外気に上記エアフィルタを通過した塵挨が含まれていたとしても、この塵挨は、上記各色用ダイクロイックフィルタ１２ｒ，１２ｇ，１２ｂや上記前側及び後側ガラス２４，１７に付着することはあっても、上記各色用液晶表示板１３ｒ，１３ｇ，１３ｂに付着することがない。上記各色用液晶表示板１３ｒ，１３ｇ，１３ｂは、上記支持枠２２と上記前側及び後側ガラス２４，１７とにより密閉されているからである。
【００４５】
上記各色用ダイクロイックフィルタ１２ｒ，１２ｇ，１２ｂ及び上記各側ガラス２４，１７に塵挨が付着しても、これら各色用ダイクロイックフィルタ１２ｒ，１２ｇ，１２ｂ及び上記前後側ガラス２４，１７が上記各色用液晶表示板１３ｒ，１３ｇ，１３ｂより離間されているため、この塵挨の影が上記スクリーン上に投射された映像に与える影響は少ない。上記投射レンズ８が上記スクリーン上に結像させる実像に対する物点は、上記各色用液晶表示板１３ｒ，１３ｇ，１３ｂにより表示される映像であるからである。
【００４６】
そして、このプロジェクタ装置においては、図８に示すように、上記前側ガラス２４は、アルミ薄膜付きガラス２０とすることができる。このアルミ薄膜付きガラス２０は、ガラスの表面部に、アルミニウムの微粉末を、例えば、１μｍ乃至２μｍ程度の均一な厚みに塗布し、焼き付け加工して構成したものである。
【００４７】
このアルミ薄膜付きガラス２０は、熱伝導性が高いので、上記光源１による照明により加熱されても、上記冷却ファン１９により送り込まれる外気により良好に冷却される。
【００４８】
また、上記前側ガラス２４は、表面部に金属薄膜が形成されることにより、図６に示すように、一定の波長帯域（例えば、５３０ｎｍ乃至５６０ｎｍ）において、一定の透過率を有するニュートラルデンシティ（Ｎｅｕｔｒａｌ  Ｄｅｎｓｉｔｙ）フィルタ（ＮＤフィルタ）となっている。
【００４９】
したがって、この前側ガラス２４の透過率を適宜設定することにより、上記各色用液晶表示板１３ｒ，１３ｇ，１３ｂに入射される光束の光量を調整することができ、該各色用液晶表示板１３ｒ，１３ｇ，１３ｂについての入射光量のバランスを調整することができる。すなわち、上記前側ガラス２４の透過率の設定により、上記各色用液晶表示板１３ｒ，１３ｇ，１３ｂを透過して上記クロスダイクロイックプリズム７に入射される各色成分の光量比を適切な比率に設定し、上記投射レンズ８により投射される映像におけるいわゆるカラーバランスを良好な状態に調整することができる。
【００５０】
さらに、このプロジェクタ装置においては、図７に示すように、上記前側ガラス２４は、石英ガラス２１とすることができる。
【００５１】
この石英ガラス２１は、熱伝導性が高いので、上記光源１による照明により加熱されても、上記冷却ファン１９により送り込まれる外気により良好に冷却される。
【００５２】
【発明の効果】
上述のように、本発明に係るプロジェクタ装置においては、光源により照明されるとともに供給される映像信号に基づく映像を表示する映像表示板は、この映像表示板を支持する支持枠により保持されるガラス板を用いて両面を密閉状態とし、冷却ファンによりガラス板に外気が送り込まれることにより冷却される。
【００５３】
したがって、映像表示板は、冷却のための外気を吹き付けられても、この外気に含まれる塵挨が付着されることがない。
【００５４】
また、このプロジェクタ装置において、映像表示板は、この映像表示板を支持する支持枠により保持されるガラス板により光源側を密閉状態となされ、冷却ファンにより、ガラス板と、このガラス板と離間して配置され光源からの光の所定の波長帯域成分をガラス板に入射させるフィルタとに外気を送り込まれることにより冷却される。
【００５５】
このプロジェクタ装置においては、映像表示板に対して光源側にあるために加熱され易いフィルタがガラス板に対して空気層を介して離間されているため、フィルタが加熱されても、この熱が映像表示板に伝導されることがなく、映像表示板の冷却が良好に行える。
【００５６】
すなわち、本発明は、光源により照明されるとともに供給される映像信号に基づく映像を表示する映像表示板の冷却が良好に行えながら、この映像表示板への塵挨の付着が防止され、良好な映像表示が行えるようになされたプロジェクタ装置を提供することができるものである。
【図面の簡単な説明】
【図１】本発明に係るプロジェクタ装置の構成を示す平面図である。
【図２】上記プロジェクタ装置の要部の構成を示す斜視図である。
【図３】上記プロジェクタ装置の要部の構成を示す側面図である。
【図４】上記プロジェクタ装置の要部の構成を示す縦断面図である。
【図５】上記プロジェクタ装置の要部の構成を示す側面図である。
【図６】前側ガラスのニュートラルデンシティ（Ｎｅｕｔｒａｌ  Ｄｅｎｓｉｔｙ）フィルタ（ＮＤフィルタ）としての光学特性を示すグラフである。
【図７】上記プロジェクタ装置の要部の構成の他の例を示す斜視図である。
【図８】上記プロジェクタ装置の要部の構成のさらに他の例を示す斜視図である。
【符号の説明】
１  光源、８  投射レンズ、１２ｒ  赤色用ダイクロイックフィルタ、１２ｇ緑色用ダイクロイックフィルタ、１２ｂ  青色用ダイクロイックフィルタ、１３ｒ  赤色用液晶表示板、１３ｇ  緑色用液晶表示板、１３ｂ  青色用液晶表示板、１７  後側ガラス、２０  アルミ薄膜付きガラス、２１  石英ガラス、２２
支持枠、２４  前側ガラス
【図１】
0003606649.tif 000002
【図２】
0003606649.tif 000003
【図３】
0003606649.tif 000004
【図４】
0003606649.tif 000005
【図５】
0003606649.tif 000006
【図６】
0003606649.tif 000007
【図７】
0003606649.tif 000008
【図８】
0003606649.tif 000009